(57)【要約】【課題】現在のガス使用状態に基づく遮断流量を正確に設定でき、高精度の保安制御が可能になる電子式ガスメータ及びこれを用いた保安システムを提供する。【解決手段】当該ガスメータに接続されるガス器具１６と該ガス器具の個別最大流量との関係を予め格納する個別最大流量格納手段９Ａと、ガス器具の現在の使用状況を示す使用情報を外部装置から取得する使用情報取得手段１Ａと、使用情報及び個別最大流量格納手段９Ａに格納されている個別最大流量に基づき、当該ガスメータにおいて使用される最大使用流量を算出する最大使用流量算出手段１Ｂと、最大使用流量に基づいて保安のために遮断弁を弁閉させるための遮断流量を算出する遮断流量算出手段１Ｄと、遮断流量と現在流量とを比較し、比較結果に基づいて異常の場合には遮断弁を弁閉させるための遮断信号を出力する遮断信号出力手段１Ｃと、を含む。【選択図】図１
2006242653.tif 000002
【特許請求の範囲】
【請求項１】
流量センサを用いてガス流路を通過するガスの流量を測定すると共に所定の保安機能を備えた電子式ガスメータにおいて、
当該ガスメータに接続されるガス器具と該ガス器具の個別最大流量との関係を予め格納する個別最大流量格納手段と、
前記ガス器具の現在の使用状況を示す使用情報を外部装置から取得する使用情報取得手段と、
前記使用情報及び前記個別最大流量格納手段に格納されている個別最大流量に基づき、当該ガスメータにおいて使用される最大使用流量を算出する最大使用流量算出手段と、
前記最大使用流量に基づいて保安のために遮断弁を弁閉させるための遮断流量を算出する遮断流量算出手段と、
前記遮断流量と現在流量とを比較し、比較結果に基づいて異常の場合には前記遮断弁を弁閉させるための遮断信号を出力する遮断信号出力手段と、
を含むことを特徴とする電子式ガスメータ。
【請求項２】
請求項１記載の電子式ガスメータにおいて、
前記最大使用流量算出手段は、前記複数のガス器具のいずれかが使用され始めたこと、或いは、使用停止したことを示す使用情報が取得されたタイミングに同期して、最大使用流量を算出する、
ことを特徴とする電子式ガスメータ。
【請求項３】
請求項１又は請求項２記載の電子式ガスメータを用いた保安システムであって、
前記現在使用されているガス器具を示す使用情報を収集する使用情報収集手段と、
前記電子式ガスメータ側に前記使用情報を送信する送信手段と、
前記電子式ガスメータ側からの保安情報を受信する受信手段と、を備えた管理センタ、
を含むことを特徴とする保安システム。
【発明の詳細な説明】
【技術分野】
【０００１】
本発明は、流量センサを用いてガス流路を通過するガスの流量を測定すると共に所定の保安機能を備えた電子式ガスメータ及びこれを用いた保安システムに関する。
【背景技術】
【０００２】
従来、この種の電子式ガスメータは、マイクロコンピュータ（単に、マイコンともよぶ）、操作部、ＬＣＤ（Liquid Crystal Display）、ＬＥＤ（Light Emitting Diode）、圧力センサ、流量センサ、感震センサ、通信部、Ｅ2ＰＲＯＭ（Electrically Erasable and Programmable ROM）、電磁遮断弁及び２次電池を含んで構成されいる。これらの操作部、ＬＣＤ、ＬＥＤ、圧力センサ、流量センサ、感震センサ及び通信部は、インターフェース部を介してマイコンに接続される。また、電磁遮断弁は、遮断弁駆動部を介してマイコンに接続されている。
【０００３】
上記マイコンは、ＣＰＵ、ＲＯＭ及びＲＡＭを含み、ＲＯＭ及びＲＡＭ、Ｅ2ＰＲＯＭの内容を参照しつつ流量測定及び保安に係る処理を実行する。操作部は、このガスメータを開始又は終了させたり、異常警報を停止させたり、ＬＣＤの表示を変更させたりする指令を入力するためのスイッチ群から構成される。ＬＣＤは、インターフェース部を介してマイコンからの指令を受信し、これに応答して積算流量表示や、感震、ガス漏洩、電池電圧低下等の各種異常警報表示を行う。ＬＥＤは複数の素子から構成され、これらの発光の組み合わせを変えることで異種の警報を表示することができる。
【０００４】
圧力センサは、ガス流による圧力値に応じた電圧を出力してマイコンに供給する。流量センサは、ガス流路（付図示）に配設された一対の超音波センサ等が利用される。この場合、超音波振動子間の超音波信号到達時間に基づいて、ガス流路を通過するガスの流速、流量が算出される。感震センサは、地震等による揺れに応じてオンオフ信号を生成して、インターフェース部を介してこれをマイコンに供給する。
【０００５】
通信部は、電話回線等の公衆回線を用いて所定の電文発呼等を行う機能を有する。この通信部は、電話回線等の公衆回線を介して、ガス販売会社の管理センタとの通信を制御するためのＮＣＵ（網制御ユニット）にも接続されている。Ｅ2ＰＲＯＭは、マイコンで算出された流量積算値等を格納する。
【０００６】
電磁遮断弁は、遮断弁駆動部に接続され、マイコンに指令されて、ガス流路を遮断制御する。２次電池は、マイコン及び遮断弁駆動部等の駆動電源となるもので、例えば、公知のＢＲ電池が用いられる。インターフェース部は、基本的にマイコンとこれに接続される各構成要素との間の電圧変換機能を有する。
【０００７】
そして、この種のガスメータは通常、流量センサを利用してガス流路を通過するガスの流量を検出し、この流量を積算してＬＣＤに表示する。また、ガスメータは、流量異常を検出したり、感震センサにより異常な揺れを検出したり、圧力異常を検出したりすると、ＬＣＤにその旨表示すると共に、電磁遮断弁を弁閉する。更に、ガスメータは、これと同時に、異常状態を示す電文を、通信部、ＮＣＵ及び電話回線等の公衆回線を介して、ガス販売会社の管理センタに送信する。なお、上記従来の電子式ガスメータは特許文献１にも示されている。
【０００８】
ところで、このような構成の従来の電子式ガスメータにおいては、使用が開始されると学習を実施してガス流路の遮断レベルの最適化を行うことができるものがある。図６は、従来の電子式ガスメータにおいて、流量異常を検出するための処理手順を示すフローチャートである。
【０００９】
図６のステップＳ９１〜ステップＳ９３においては、所定の学習期間が経過するまで（ステップＳ９３のＮ）、ステップＳ９１において流量サンプリングが実施され、ステップＳ９２において流量サンプリングから得られた現在流量が保存されていく。
【００１０】
ステップＳ９３において、学習期間が経過すると（ステップＳ９３のＹ）、ステップＳ９４において、流量サンプリングから得られた最大流量に基づいて、メータの遮断レベルが決定される。そして、ステップＳ９５において、この流量遮断レベルと現在流量とが比較されて、現在流量が流量遮断レベルを超えたと判断されると（９５のＹ）、ステップＳ９６において所定の遮断信号が出力される。これによって、遮断弁が弁閉されたり、その旨示す電文が管理センタに送信されたりするようになっている。
【特許文献１】特開２００３−１２１２３７号公報
【発明の開示】
【発明が解決しようとする課題】
【００１１】
ところが、上述のように通常のガス使用状態の学習によって遮断レベルを決定し、流量異常を検出するやり方では、例えば季節変化や冠婚葬祭等の突発的なガス使用の変化に追従できず、誤判定してしまう可能性がある。つまり、従来、通常のガス使用の学習に基づいて、このガス使用が将来も継続するものとして遮断レベルを予測しているにすぎず、現在のガス使用状態は流量異常検出に正確に反映されていないことになる。
【００１２】
上述のように学習により自動的に遮断レベルを決定するやり方の他に、従来、マニュアルで遮断レベルを設定できる電子式ガスメータもある。しかしながら、マニュアルで遮断レベルを設定する場合には、人の判断や操作ミス等の人為的なミスの発生の可能性があるうえ、設定のための工数も必要となる。
【００１３】
よって本発明は、上述した現状に鑑み、現在のガス使用状態に基づく遮断流量を正確に設定でき、高精度の保安制御が可能になる電子式ガスメータ及びこれを用いた保安システムを提供することを課題としている。
【課題を解決するための手段】
【００１４】
上記課題を解決するためになされた請求項１記載の電子式ガスメータは、図１に示すように、流量センサ６を用いてガス流路１９を通過するガスの流量を測定すると共に所定の保安機能を備えた電子式ガスメータにおいて、当該ガスメータに接続されるガス器具１６と該ガス器具の個別最大流量との関係を予め格納する個別最大流量格納手段９Ａと、前記ガス器具の現在の使用状況を示す使用情報を外部装置から取得する使用情報取得手段１Ａと、前記使用情報及び前記個別最大流量格納手段９Ａに格納されている個別最大流量に基づき、当該ガスメータにおいて使用される最大使用流量を算出する最大使用流量算出手段１Ｂと、前記最大使用流量に基づいて保安のために遮断弁を弁閉させるための遮断流量を算出する遮断流量算出手段１Ｄと、前記遮断流量と現在流量とを比較し、比較結果に基づいて異常の場合には前記遮断弁を弁閉させるための遮断信号を出力する遮断信号出力手段１Ｃと、を含むことを特徴とする。
【００１５】
請求項１記載の発明によれば、当該ガスメータに接続されるガス器具１６と該ガス器具の個別最大流量との関係が予め格納されており、ガス器具の現在の使用状況を示す使用情報が外部装置から取得され、使用情報及び個別最大流量格納手段９Ａに格納されている個別最大流量に基づき、当該ガスメータにおいて使用される最大使用流量が算出され、最大使用流量に基づいて保安のために遮断弁を弁閉させるための遮断流量が算出され、遮断流量と現在流量とを比較し、比較結果に基づいて異常の場合には遮断弁を弁閉させるための遮断信号が出力される。よって、現在のガス使用状況に基づく遮断流量が正確に求められる。
【００１６】
上記課題を解決するためになされた請求項２記載の電子式ガスメータは、図１に示すように、請求項１記載の電子式ガスメータにおいて、前記最大使用流量算出手段１Ｂは、前記複数のガス器具のいずれかが使用され始めたこと、或いは、使用停止したことを示す使用情報が取得されたタイミングに同期して、最大使用流量を算出する、ことを特徴とする。
【００１７】
請求項２記載の発明によれば、複数のガス器具のいずれかが使用され始めたこと、或いは、使用停止したことを示す使用信号が取得されたタイミングに同期して、最大使用流量が算出される。よって、リアルタイムで即座に正確な遮断流量が設定される。
【００１８】
上記課題を解決するためになされた請求項３記載の電子式ガスメータは、図１に示すように、請求項１又は請求項２記載の電子式ガスメータを用いた保安システムであって、前記現在使用されているガス器具を示す使用情報を収集する使用情報収集手段１５Ａと、前記電子式ガスメータ側に前記使用情報を送信する送信手段１５Ｂと、前記電子式ガスメータ側からの保安情報を受信する受信手段１５Ｃと、を備えた管理センタ１５、を含むことを特徴とする。
【００１９】
請求項３記載の発明によれば、ガスメータに当該ガスメータに接続されうる複数のガス器具と該ガス器具によってそれぞれ発生しうる最大流量との関係が予め格納されており、現在使用されているガス器具を示す使用情報が管理センタで収集されてガスメータに送信される。ガスメータでは、この使用情報及び格納されている最大流量を参照して、当該ガスメータにおいて使用される最大使用流量が算出される。そして、最大使用流量に基づいて算出された流量である遮断流量と現在流量とが比較され、比較結果に基づいて保安情報が生成され、保安情報は管理センタで受信される。よって、現在のガス使用状況に基づく遮断流量が正確に求められる。
【発明の効果】
【００２０】
請求項１記載の発明によれば、当該ガスメータに接続されるガス器具１６と該ガス器具の個別最大流量との関係が予め格納されており、ガス器具の現在の使用状況を示す使用情報が外部装置から取得され、使用情報及び個別最大流量格納手段９Ａに格納されている個別最大流量に基づき、当該ガスメータにおいて使用される最大使用流量が算出され、最大使用流量に基づいて保安のために遮断弁を弁閉させるための遮断流量が算出され、遮断流量と現在流量とを比較し、比較結果に基づいて異常の場合には遮断弁を弁閉させるための遮断信号が出力される。よって、現在のガス使用状況に基づく遮断流量が正確に求められる。よって、現在のガス使用状況に基づく遮断流量が正確に求められる。したがって、高精度の保安制御が可能になる。また、ガス使用状況の学習が不要となるので、処理手順が簡素化される。また、人為的なミスも発生することがない。更に、メータの号数という概念を撤廃できる。
【００２１】
請求項２記載の発明によれば、複数のガス器具のいずれかが使用され始めたこと、或いは、使用停止したことを示す使用信号が取得されたタイミングに同期して、最大使用流量が算出される。よって、リアルタイムで即座に正確な遮断流量が設定される。したがって、より高精度の保安制御が可能になる。
【００２２】
請求項３記載の発明によれば、ガスメータに当該ガスメータに接続されうる複数のガス器具と該ガス器具によってそれぞれ発生しうる最大流量との関係が予め格納されており、現在使用されているガス器具を示す使用情報が管理センタで収集されてガスメータに送信される。ガスメータでは、この使用情報及び格納されている最大流量を参照して、当該ガスメータにおいて使用される最大使用流量が算出される。そして、最大使用流量に基づいて算出された流量である遮断流量と現在流量とが比較され、比較結果に基づいて保安情報が生成され、保安情報は管理センタで受信される。よって、現在のガス使用状況に基づく遮断流量が正確に求められる。したがって、広範囲で高精度の保安制御が可能になる。また、ガス使用状況の学習が不要となるので、処理手順が簡素化される。また、人為的なミスも発生することがない。更に、メータの号数という概念を撤廃できる。
【発明を実施するための最良の形態】
【００２３】
以下、本発明の実施の形態を図面に基づいて説明する。図２は、本発明の一実施形態に係る電子式ガスメータの構成を示すブロック図である。図３は、ガスメータに格納されるガス器具テーブルを例示する図である。図４は、管理センタに格納されるガス器具テーブルを例示する図である。
【００２４】
図２において、電子式ガスメータ２０は、マイクロコンピュータ１（単に、マイコン１ともよぶ）、操作部２、ＬＣＤ３、ＬＥＤ４、圧力センサ５、流量センサ６、感震センサ７、通信部８、Ｅ2ＰＲＯＭ９、電磁遮断弁１０、及び２次電池１２を含んで構成される。これらの操作部２、ＬＣＤ３、ＬＥＤ４、圧力センサ５、流量センサ６、感震センサ７、及び通信部８は、インターフェース部１３を介してマイコン１に接続される。また、電磁遮断弁１０は、遮断弁駆動部１０ａを介してマイコン１に接続されている。
【００２５】
上記マイコン１は、ＣＰＵ１ａ、ＲＯＭ１ｂ及びＲＡＭ１ｃを含む。ＣＰＵ１ａは、ＲＯＭ１ｂに格納される制御プログラムにしたがって、基本制御、流量及び圧力検出、電池電圧チェック、並びに後述の本実施形態に関わる制御を実行する。ＲＯＭ１ｂには、基本制御プログラム、流量検出、積算流量計算及び圧力検出のための制御プログラム、電池電圧チェックのためのプログラムや後述の本実施形態に関わる制御プログラム等が予め格納される。ＲＡＭ１ｃは、基本的にＣＰＵ１ａが行う処理の過程で発生する変数やデータを一時的に格納するワークエリアとして機能する。
【００２６】
操作部２は、このガスメータを開始又は終了させたり、異常警報を停止させたり、ＬＣＤ３の表示を変更させたりする指令を入力するためのスイッチ群から構成される。これらの指令は、操作部２が手動操作されることによりマイコン１に入力される。
【００２７】
ＬＣＤ３は、インターフェース部１３を介してマイコン１からの指令を受信し、これに応答して積算流量表示や、感震、ガス漏洩、電池電圧低下等の各種異常警報表示を行う。ＬＥＤ４は複数の素子から構成され、これらの発光の組み合わせを変えることで異種の警報を表示することができる。例えば、電磁遮断弁１０が弁閉状態である時には、全ての素子が所定周期で点滅するようにする。
【００２８】
圧力センサ５は、ガス流による圧力値に応じた電圧を出力してマイコン１に供給する公知の圧力検出素子が用いられる。流量センサ６は、ガス流路（付図示）に配設された一対の超音波センサ等が利用される。この場合、周知のように、超音波振動子間の超音波信号到達時間に基づいて、ガス流路を通過するガスの流速、流量が算出される。
【００２９】
感震センサ７は、地震等による揺れに応じてオンオフ信号を生成して、インターフェース部１３を介してこれをマイコン１に供給する公知の感震素子から構成される。マイコン１は、例えば、所定時間内に受信したオンオフ信号の回数から揺れ具合を判定して、この揺れが大きい場合には遮断弁の弁閉制御等の異常処理を行う。
【００３０】
通信部８は、例えば、電話回線等の有線回線を用いて所定の電文発呼等を行う機能を有する。この通信部８は、電話回線等の有線回線を介して、ガス販売会社の管理センタ１５との通信を制御するためのＮＣＵ（網制御ユニット）を含む通信Ｉ／Ｆ１４にも接続されている。なお、ガスメータ２０と管理センタ１５との間の通信は、無線で行われてもよいし、無線と有線の組み合わせにより行われてもよい。
【００３１】
Ｅ2ＰＲＯＭ９は、マイコン１で算出された流量積算値等を格納する。なお、ここに格納されるデータは、２次電池１２からの電源供給が停止しても保持されるものとする。なお、本発明に係る制御プログラムは、ここに格納されていてもよい。また、Ｅ2ＰＲＯＭ９には、図４に示すようなガス器具テーブル９ａも格納されている。
【００３２】
図４に示すように、ガス器具テーブル９ａは、当該ガスメータ２０に接続されうる複数のガス器具１、２、３と該ガス器具１、２、３によってそれぞれ発生する個別最大流量との関係を示すものである。複数のガス器具１、２、３にそれぞれ固有のガス器具ＩＤが割り当てられている。また、ガス器具テーブル９ａには、各ガス器具１、２、３の使用状態もそれぞれ含まれている。この使用状態は、後述するが管理センタ１５側から取得可能である。なお、Ｅ2ＰＲＯＭ９は、請求項の個別最大流量格納手段に対応する。
【００３３】
電磁遮断弁１０は、弁駆動ソレノイドコイルを含み、このソレノイドコイルの駆動回路である遮断弁駆動部１０ａに接続される。遮断弁駆動部１０ａはマイコン１に指令されて、ソレノイドコイル駆動信号を生成して、これを電磁遮断弁１０に供給する。これに応答して電磁遮断弁１０は、弁開又は弁閉してガス流路１９が遮断制御される。
【００３４】
２次電池１２は、マイコン１や遮断弁駆動部１０ａ等の駆動電源となるもので、例えば、公知のＢＲ電池が用いられる。また、ガス積算流量をＬＣＤ３に表示する際の電源としても利用される。インターフェース部１３は、基本的にマイコン１とこれに接続される各構成要素２、３、４、５、６、７及び８との間の電圧変換機能を有する。
【００３５】
一方、管理センタ１５は、ガス販売会社に属しており、各ガスメータ２０及びガス器具１６（ガス器具１、２、３）との通信機能を備えたコンピュータ装置（請求項の使用情報収集手段、送信手段、受信手段に対応）を装備している。そして、その記憶部には、図３に示すようなガス器具テーブル９ａも格納されている。管理センタ１５のコンピュータ装置は、現在使用されているガス器具を示す使用情報を収集する使用情報収集手段、電子式ガスメータ側に使用情報を送信する送信手段、電子式ガスメータ側からの保安情報を受信する受信手段を備えている。
【００３６】
図３に示すように、管理センタ１５のガス器具テーブル１５ａは、全てのガスメータに接続されうる複数のガス器具１、２、３（実際にはこれ以外にもある）と各ガス器具１、２、３の使用状態の関係を示すものである。複数のガス器具１、２、３に図４で示したような固有のガス器具ＩＤが割り当てられている。この使用状態は、例えばＬＡＮ（Local Area Network）を介して各ガス器具１、２、３から与えられる。
【００３７】
また、各ガス器具１６（ガス器具１、２、３）は、固有のガス器具ＩＤが割り当てられたうえに、通信機能を備えており、使用されると管理センタ１５に向けて、その旨を示す信情報がガス器具ＩＤと共に送信されるようになっている。そして、これを受けた管理センタ１５では、ガス器具テーブル１５ａを更新する。なお、場合によっては、接続されている電子式ガスメータに対してガス器具１６から、直接、使用していることを示す情報が送信されるようにしてもよい。ガス器具１６は、例えば、ＡＣ１００Ｖ仕様のガステーブル、給湯器、ガスストーブである。
【００３８】
このような構成のシステムは、例えば、都市ガスやＬＰＧ供給設備に適用される。例えば、ＬＰＧ供給設備の場合、ガスメータは、ＬＰＧ容器に収容されている高圧ガスを調圧する圧力調整器とこの調圧されたガスが供給されるガス器具とをつなぐ配管に介設される。
【００３９】
そして、ガスメータは通常、流量センサ６を利用してガス流路を通過するガスの流量を検出し、この流量を積算してＬＣＤ３に表示する。また、ガスメータは、後述する処理手順により設定される遮断流量に基づいて流量異常を検出したり、感震センサ７により異常な揺れを検出したり、圧力センサ５により圧力異常を検出したりすると、ＬＣＤ３にその旨表示すると共に、電磁遮断弁１０を弁閉する。更に、ガスメータは、これと同時に、異常状態を示す電文を、通信部８及び通信Ｉ／Ｆ１４を介して、ガス販売会社の管理センタ１５に送信する。
【００４０】
続いて、本発明の実施形態に係る流量異常を検出するための処理手順について図５を加えて説明する。図５は、本発明の一実施形態に係る処理手順を示すフローチャートである。
【００４１】
図５のステップＳ１において、マイコン１は、周知の方法により流量サンプリングを実施し、ステップＳ２において、流量サンプリングから得られた現在流量ＱをＲＡＭ１ｃに保存していく。ステップＳ１及びステップＳ２の処理は、ステップＳ３において、ガス器具使用情報を受信するまで（ステップＳ３のＮ）、繰り返される。ガス器具使用情報（請求項の使用情報に対応）は、上記管理センタ１５において、いずれかのガス器具１６が使用され始めたこと、或いは、使用停止したことが検出されたときに、即座に、ガス器具ＩＤと共にガスメータ側に発せられる情報である。
【００４２】
ステップＳ３において、マイコン１は、ガス器具使用情報を受信すると（ステップＳ３のＹ）、ステップＳ４に進んで、Ｅ2ＰＲＯＭ９上のガス器具テーブル９ａを更新する。すなわち、対応するガス器具の使用状態を、ガス器具使用情報の内容に応じて使用中／又は不使用とする。
【００４３】
次に、マイコン１は、ステップＳ５において、最大使用流量を算出する。最大使用流量は、当該ガスメータにおいて使用されうる最大の流量であり、ガス器具テーブル９ａにおいて、使用中となっているガス器具の最大流量を加算（例えば、Ｘ＋Ｙ  Ｌ／ｈ）することによって求めることができる。このように、複数のガス器具のいずれかが使用され始めたこと、或いは、使用停止したことを示すガス器具使用情報が受信されたタイミングに同期して、最大使用流量が算出されるので、リアルタイムで即座に正確な遮断流量が設定可能になる。次に、マイコン１は、ステップＳ６において、算出した最大使用流量に予め定められている安全係数を乗じて、遮断流量Ｄを設定する。
【００４４】
そして、ステップＳ７において、マイコン１は、上記保存している現在流量Ｑと、設定された遮断流量Ｄとを比較する。ステップＳ７において、現在流量Ｑが遮断流量Ｄを超えたと判断されると（ステップＳ７のＹ）、マイコン１は、ステップＳ８において所定の遮断信号を生成出力し、さもなければ（ステップＳ７のＮ）、遮断信号を生成出力することなく処理を終了する。
【００４５】
なお、遮断信号が出力されると、遮断弁駆動部１０ａが指令されて電磁遮断弁１０が弁閉されて、ガス流路が遮断される。また、これと同時に、遮断信号は、異常状態を示す電文として、通信部８及び通信Ｉ／Ｆ１４を介して、ガス販売会社の管理センタ１５に送信される。更に、ＬＥＤ４を点滅させる等してその旨警報するようにしてもよい。
【００４６】
以上説明したように、本発明の実施形態によれば、ガスメータ２０側にこのメータ２０に接続されうる複数のガス器具と該ガス器具によってそれぞれ発生する個別最大流量との関係が予め格納されており、現在使用されているガス器具を示す使用情報が管理センタ１５で収集されてガスメータ２０側に送信される。ガスメータ２０側では、この使用情報及び格納されている最大流量を参照して、当該ガスメータ２０において使用される最大使用流量が算出される。次に、ガスメータ２０側では、最大使用流量に基づいて算出された流量である遮断流量Ｄと現在流量Ｑとが比較され、比較結果に基づいて保安情報が生成される。そして、異常時には、流路遮断されたり、異常状態を示す電文が管理センタ１５に向けて送信される。このように、現在のガス使用状況に基づく遮断流量が正確に求められるので、高精度の保安制御が可能になる。また、ガス使用状況の学習が不要となるので、処理手順が簡素化される。また、人為的なミスも発生することがない。更に、メータの号数という概念を撤廃できる。
【図面の簡単な説明】
【００４７】
【図１】本発明の基本構成を示すブロック図である。
【図２】本発明の一実施形態に係る電子式ガスメータの構成を示すブロック図である。
【図３】ガスメータに格納されるガス器具テーブルを例示する図である。
【図４】管理センタに格納されるガス器具テーブルを例示する図である。
【図５】本発明の一実施形態に係る処理手順を示すフローチャートである。
【図６】従来の電子式ガスメータに係る処理手順を示すフローチャートである。
【符号の説明】
【００４８】
１  マイクロコンピュータ（使用情報取得手段、最大使用流量算出手段、遮断流量算出手段、遮断信号出力手段）
２  操作部
３  ＬＣＤ
４  ＬＥＤ
５  圧力センサ
６  流量センサ
７  感震センサ
８  通信部
９  Ｅ2ＰＲＯＭ（個別最大流量格納手段）
１０  電磁遮断弁
１２  ２次電池
１３  インターフェース部
１４  通信インターフェース
１５  管理センタ
１６  ガス器具
１９  ガス流路
２０  電子式ガスメータ
【図１】
2006242653.tif 000003
【図２】
2006242653.tif 000004
【図３】
2006242653.tif 000005
【図４】
2006242653.tif 000006
【図５】
2006242653.tif 000007
【図６】
2006242653.tif 000008